(57)【要約】【課題】ＲＤＦ処理装置の設置に際し、地権者との立会い交渉、立地に際しての法令上の規制の考慮、稼動してからの地域住民対策等を不要とする。【解決手段】船舶１に、廃棄物を貯留するための廃棄物貯留ピット２と、ＲＤＦ製造装置４及びＲＤＦ発電設備５を備えたＲＤＦ処理装置３とを設置し、ＲＤＦ製造装置４において、廃棄物貯留ピット２から供給された廃棄物によりＲＤＦを製造し、製造したＲＤＦをＲＤＦ発電設備５におけるＲＤＦ焚きボイラの燃料として利用して蒸気を生成させ、生成した蒸気によりタービン発電機で発電を行い、発電により得られた電力により船舶１のスクリュー１９を駆動するように構成する。【選択図】        図１
2004294044.tif 000002
【特許請求の範囲】
【請求項１】
船舶に、廃棄物からＲＤＦを製造し且つ製造されたＲＤＦを燃焼処理するＲＤＦ処理装置を設置したことを特徴とするＲＤＦ船。
【請求項２】
船舶に、廃棄物を貯留するための廃棄物貯留ピットと、該廃棄物貯留ピットから供給された廃棄物からＲＤＦを製造し且つ製造されたＲＤＦを燃焼処理するＲＤＦ処理装置とを設置したことを特徴とするＲＤＦ船。
【請求項３】
船舶に、ＲＤＦ製造装置及びＲＤＦ発電設備を備えたＲＤＦ処理装置を設置し、ＲＤＦ製造装置において廃棄物よりＲＤＦを製造し、製造したＲＤＦをＲＤＦ発電設備におけるＲＤＦ焚きボイラの燃料として利用して蒸気を生成させ、生成した蒸気によりタービン発電機で発電を行い、発電により得られた電力により船舶のスクリューを駆動するように構成したことを特徴とするＲＤＦ船。
【請求項４】
船舶に、廃棄物を貯留するための廃棄物貯留ピットと、ＲＤＦ製造装置及びＲＤＦ発電設備を備えたＲＤＦ処理装置とを設置し、ＲＤＦ製造装置において、前記廃棄物貯留ピットから供給された廃棄物よりＲＤＦを製造し、製造したＲＤＦをＲＤＦ発電設備におけるＲＤＦ焚きボイラの燃料として利用して蒸気を生成させ、生成した蒸気によりタービン発電機で発電を行い、発電により得られた電力により船舶のスクリューを駆動するように構成したことを特徴とするＲＤＦ船。
【発明の詳細な説明】
【０００１】
【発明の属する技術分野】
本発明はＲＤＦ船に関するものである。
【０００２】
【従来の技術】
近年、廃棄物（家庭やオフィス等から出される都市ごみ等の一般廃棄物や、廃プラスチック等の産業廃棄物等、可燃物を含む物）を反応機へ送給し、反応機では、例えば添加剤としてＣａＯやＣａ（ＯＨ）２等を加えて混練することによりｐＨ調整し、ｐＨを調整したごみを圧縮成形機へ送って所要形状に固形化してＲＤＦ（ごみ固形化燃料）とし、斯かるＲＤＦをＲＤＦ焚きボイラで燃焼処理するＲＤＦ処理装置が提案されている。
【０００３】
而して、ＲＤＦ処理装置は陸上に設置されるが、設置に際しては、地権者との立会い交渉、立地に際しての法令上の規制の考慮、稼動してからの地域住民対策等が要求され、稼動するまでの労力は通常のプラントの建設の場合よりも多大なものである。なお、一般的なＲＤＦ処理装置としては、例えば、特許文献１がある。
【０００４】
【特許文献１】
特開２００１−２２７７３０号公報
【０００５】
【発明が解決しようとする課題】
本発明は、地権者との立会い交渉、立地に際しての法令上の規制の考慮、稼動してからの地域住民対策等を不要とすることで、ＲＤＦ処理装置建設の労力を軽減し得るようにすることを目的としてなしたものである。
【０００６】
【課題を解決するための手段】
請求項１のＲＤＦ船は、船舶に、廃棄物からＲＤＦを製造し且つ製造されたＲＤＦを燃焼処理するＲＤＦ処理装置を設置したものである。
【０００７】
請求項２のＲＤＦ船は、船舶に、廃棄物を貯留するための廃棄物貯留ピットと、該廃棄物貯留ピットから供給された廃棄物からＲＤＦを製造し且つ製造されたＲＤＦを燃焼処理するＲＤＦ処理装置を設置したものである。
【０００８】
請求項３のＲＤＦ船は、船舶に、ＲＤＦ製造装置及びＲＤＦ発電設備を備えたＲＤＦ処理装置を設置し、ＲＤＦ製造装置において廃棄物よりＲＤＦを製造し、製造したＲＤＦをＲＤＦ発電設備におけるＲＤＦ焚きボイラの燃料として利用して蒸気を生成させ、生成した蒸気によりタービン発電機で発電を行い、発電により得られた電力により船舶のスクリューを駆動するように構成したものである。
【０００９】
請求項４のＲＤＦ船は、船舶に、廃棄物を貯留するための廃棄物貯留ピットと、ＲＤＦ製造装置及びＲＤＦ発電設備を備えたＲＤＦ処理装置とを設置し、ＲＤＦ製造装置において、前記廃棄物貯留ピットから供給された廃棄物よりＲＤＦを製造し、製造したＲＤＦをＲＤＦ発電設備におけるＲＤＦ焚きボイラの燃料として利用して蒸気を生成させ、生成した蒸気によりタービン発電機で発電を行い、発電により得られた電力により船舶のスクリューを駆動するように構成したものである。
【００１０】
本発明によれば、ＲＤＦの処理を行うＲＤＦ処理装置を船舶に設置するようにしているため、ＲＤＦ処理装置の設置に際しては、地権者との立会い交渉、立地に際しての法令上の規制の考慮、稼動してからの地域住民対策等は不要であり、従って、無駄な労力を省くことができ、又、ＲＤＦ処理装置におけるＲＤＦ発電設備で発電を行い、発電された電力によりスクリューを駆動して船舶の航行を行うようにしているため、船舶により物資を運送する場合にはエネルギーの有効利用をも図ることができる。
【００１１】
【発明の実施の形態】
以下、本発明の実施の形態を添付図面を参照して説明する。
図１、図２は本発明を実施する形態の一例であり、本図示例の特徴とするところは、ＲＤＦ製造装置及びＲＤＦ発電設備を備えたＲＤＦ処理装置を船舶に搭載し、ＲＤＦ発電設備におけるＲＤＦ焚きボイラでＲＤＦを燃焼させることにより得られた蒸気によりタービン発電機を駆動し、タービン発電機により船舶航行用のスクリューを駆動するようにした点である。
【００１２】
図１中、１は船舶で、船舶１には廃棄物貯留ピット２、ＲＤＦ処理装置３が搭載されており、ＲＤＦ処理装置３はＲＤＦを製造するためのＲＤＦ製造装置４とＲＤＦを燃焼処理して発電を行うＲＤＦ発電設備５等を備えている。
【００１３】
図２に示すように、ＲＤＦ製造装置４は、廃棄物貯留ピット２から送給された廃棄物を投入する廃棄物投入ホッパ６と、廃棄物投入ホッパ６から送給された廃棄物を破砕する廃棄物破砕機７と、廃棄物破砕機７で破砕された廃棄物を加熱、反応させる反応機８と、反応機８で得られた生成物を加圧して成形する圧縮成形機９と、圧縮成形機９で成形された成形物を乾燥させる乾燥機１０とを備え、成形物を乾燥機１０で乾燥させることによりＲＤＦ１１が製造され、製造されたＲＤＦ１１はＲＤＦストックスペース１２に貯留し得るようになっている。
【００１４】
ＲＤＦ発電設備５は、ＲＤＦストックスペース１２から供給されたＲＤＦ１１を燃料として焚くＲＤＦ焚きボイラ１３と、ＲＤＦ焚きボイラ１３で生成された蒸気により駆動されて発電が行われるタービン発電機１４と、タービン発電機１４から排気された蒸気を冷却して水に戻し、ＲＤＦ焚きボイラ１３へ給水として供給する冷却器１５と、ＲＤＦ焚きボイラ１３からの排ガス中の灰塵を除去するための集塵器１６と、集塵器１６で集塵された排ガスを外気中へ排出する煙突１７を備えており、タービン発電機１４で発電された電力により、駆動される駆動装置１８によりスクリュー１９が駆動されるようになっている。
【００１５】
２０はＲＤＦ焚きボイラ１３で生成された蒸気の一部を溜める蒸気溜め器で、蒸気溜め器２０に溜められた蒸気は施設２１において利用されるようになっている。
【００１６】
２２はＲＤＦ焚きボイラ１３からの灰を溶融させる灰溶融炉、２３は灰溶融炉２２で溶融した溶融灰が冷却され固化して生成されたスラグである。
【００１７】
船舶１の廃棄物貯留ピット２に貯留された廃棄物は、図示してない搬送手段により廃棄物投入ホッパ６に投入され、廃棄物投入ホッパ６から図示してない不燃物選別機に送られ、該不燃物選別機において不燃物、例えば、金属やガラス、陶磁器類等が選別除去され、次いで、不燃物が除去された後の可燃性の廃棄物は、廃棄物破砕機７へ送給されて細かく破砕され、破砕された廃棄物は反応機８において、例えば添加剤としてＣａＯやＣａ（ＯＨ）２等を加えて撹拌、混練することによりｐＨ調整される。反応機８での撹拌、混練の際、ＲＤＦ焚きボイラ１３からの蒸気の熱が利用される。
【００１８】
反応機８で撹拌、混練されて生成された生成物は圧縮成形機９で圧縮され、所定形状に固形化されて乾燥機１０へ送給され、乾燥機１０では、固形物はＲＤＦ焚きボイラ１３からの蒸気の熱を利用して乾燥させられてＲＤＦ１１が完成する。
【００１９】
ＲＤＦ１１はＲＤＦストックスペース１２に貯留される等して後、ＲＤＦ焚きボイラ１３の燃料として利用され、燃焼される。このため、ＲＤＦ焚きボイラ１３では蒸気が生成され、生成された蒸気は、タービン発電機１４へ送給されてタービン発電機１４が駆動されることにより発電が行われ、発電により得られた電力は駆動装置１８に給電されることにより駆動装置１８が駆動される。このため、スクリュー１９が駆動される結果、船舶１は自力航行する。
【００２０】
本図示例によれば、ＲＤＦ製造装置４とＲＤＦ発電設備５を備えたＲＤＦ処理装置３は船舶１に設置されており、自己完結システムが構成されている。従って、廃棄物を原料とするＲＤＦ１１は船舶１に設置したＲＤＦ製造装置４により製造され、製造されたＲＤＦ１１は船舶１に設置したＲＤＦ発電設備５におけるＲＤＦ焚きボイラ１３の燃料として利用される。このため、ＲＤＦ１１の処理を船舶１上で行うことができる。
【００２１】
ＲＤＦ処理装置３を船舶１に設置するに際しては、地権者との立会い交渉、立地に際しての法令上の規制の考慮、稼動してからの地域住民対策等は不要であるため、装置建設に際しての無駄な労力を省くことができる。
【００２２】
又、ＲＤＦ焚きボイラ１３で生成された蒸気を利用してタービン発電機１４で発電を行い、発電された電力によりスクリュー１９を駆動して船舶１の航行を行うようにしているため、船舶１により物資を運送する場合にはエネルギーの有効利用も図ることができる。
【００２３】
なお、本発明のＲＤＦ船は、上記した実施の形態に限定されるものではなく、本発明の要旨を逸脱しない範囲内において種々変更を加え得ることは勿論である。
【００２４】
【発明の効果】
以上、説明したように本発明の請求項１、請求項２記載のＲＤＦ船によれば、ＲＤＦの処理を行うＲＤＦ処理装置を船舶に設置するようにしているため、ＲＤＦ処理装置の設置に際しては、地権者との立会い交渉、立地に際しての法令上の規制の考慮、稼動してからの地域住民対策等は不要であり、従って、無駄な労力を省くことができ、又、請求項３、請求項４記載のＲＤＦ船によれば、ＲＤＦ発電設備で発電を行い、発電された電力によりスクリューを駆動して船舶の航行を行うようにしているため、請求項１、請求項２の効果に加え、船舶により物資を運送する場合にエネルギーの有効利用をも図ることができる、という優れた効果を奏し得る。
【図面の簡単な説明】
【図１】本発明のＲＤＦ船の側面図である。
【図２】ＲＤＦ船に設置するＲＤＦ製造装置及びＲＤＦ発電装置を備えたＲＤＦ処理装のフローシートである。
【符号の説明】
１    船舶
２    廃棄物貯留ピット
３    ＲＤＦ処理装置
４    ＲＤＦ製造装置
５    ＲＤＦ発電設備
１１    ＲＤＦ
１３    ＲＤＦ焚きボイラ
１４    タービン発電機
１９    スクリュー
【図１】
2004294044.tif 000003
【図２】
2004294044.tif 000004